(57)【特許請求の範囲】
【請求項１】
撮像光学系によって焦点板に結像された被写体像を正立像とする正立光学系と、
前記正立像を観察側に導く接眼光学系と、
前記焦点板に結像された被写体像を、前記正立光学系を介して撮像素子に結像する縮小光学系とを有し、
前記縮小光学系の光軸は、前記接眼光学系の光軸に対して非平行であり、
前記縮小光学系は、前記正立光学系側から前記撮像素子側へ順に配置された、開口絞り、正の屈折力の第１レンズ、負の屈折力の第２レンズから構成され、
前記第１レンズは光入射面から入射した光束を反射して光出射面より出射させる内面反射面を有し、
前記縮小光学系の焦点距離をｆ、前記第２レンズの光出射面の近軸曲率半径をＲ２２とするとき、
１．０＜ｆ／Ｒ２２＜３．０
なる条件式を満足することを特徴とするファインダー光学系。
【請求項２】
前記縮小光学系の焦点距離をｆ、前記第２レンズの焦点距離をｆ２とするとき、
−１．５＜ｆ２／ｆ＜−０．３
なる条件式を満足することを特徴とする請求項１に記載のファインダー光学系。
【請求項３】
撮像光学系によって焦点板に結像された被写体像を正立像とする正立光学系と、
前記正立像を観察側に導く接眼光学系と、
前記焦点板に結像された被写体像を、前記正立光学系を介して撮像素子に結像する縮小光学系とを有し、
前記縮小光学系の光軸は、前記接眼光学系の光軸に対して非平行であり、
前記縮小光学系は、前記正立光学系側から前記撮像素子側へ順に配置された、開口絞り、正の屈折力の第１レンズ、負の屈折力の第２レンズから構成され、
前記第１レンズは光入射面から入射した光束を反射して光出射面より出射させる内面反射面を有し、
前記縮小光学系の焦点距離をｆ、前記第２レンズの焦点距離をｆ２とするとき、
−１．５＜ｆ２／ｆ＜−０．３
なる条件式を満足することを特徴とするファインダー光学系。
【請求項４】
前記縮小光学系の光入射面と前記接眼光学系の光入射面が前記正立光学系の光出射面に対向するように、前記縮小光学系と前記接眼光学系が配置されていることを特徴とする請求項１乃至３のいずれか１項に記載のファインダー光学系。
【請求項５】
前記第１レンズの焦点距離をｆ１、前記第１レンズの光入射面から光出射面までの光軸上の長さをｄ１とするとき、
０．４＜ｆ１／ｄ１＜０．９
なる条件式を満足することを特徴とする請求項１乃至４のいずれか１項に記載のファインダー光学系。
【請求項６】
前記第１レンズの光入射面と光出射面の近軸曲率半径を各々Ｒ１１、Ｒ１２とするとき、
−０．１＜（Ｒ１１＋Ｒ１２）／（Ｒ１１−Ｒ１２）＜０．７
なる条件式を満足することを特徴とする請求項１乃至５のいずれか１項に記載のファインダー光学系。
【請求項７】
前記第１レンズの材料のアッベ数をν１、前記第２レンズの材料のアッベ数をν２とするとき、
１．５＜ν１／ν２＜５．５
なる条件式を満足することを特徴とする請求項１乃至６のいずれか１項に記載のファインダー光学系。
【請求項８】
前記縮小光学系の光軸は、前記焦点板と前記接眼光学系の光軸との交点を通り、かつ前記接眼光学系の光軸に対して傾斜していることを特徴とする請求項１乃至７のいずれか１項に記載のファインダー光学系。
【請求項９】
請求項１乃至８のいずれか１項に記載のファインダー光学系と、該ファインダー光学系で観察される被写体像に相当する像を受光する撮像手段と、を有することを特徴とする撮像装置。
【発明の詳細な説明】
【技術分野】
【０００１】
本発明はファインダー光学系及びそれを有する撮像装置に関する。特に焦点板に形成された被写体像を接眼光学系を介して観察する観察光学系と、焦点板に形成された被写体像を撮像素子に再結像し、電子画像を得るための縮小光学系とを有する一眼レフカメラ等の撮像装置に好適なものである。
【背景技術】
【０００２】
近年、デジタルカメラ等の撮像装置では、撮影者の撮影を支援するため各種の機能を備えたカメラの多機能化が進んでいる。例えば、被写体の顔にピントや露出を合わせる顔認識機能、画像内での主被写体の移動に追従してフォーカス位置が変化して主被写体への合焦を容易とする自動追尾機能等がカメラに搭載されている。
【０００３】
これらの機能を実現するために、ファインダー光学系に、焦点板に形成された被写体像を観察する観察光学系と、焦点板に形成された被写体像を撮像素子に再結像し、電子画像を得るための縮小光学系を設けたものが知られている（特許文献１、２）。特許文献１、２に開示されているファインダー光学系における観察光学系は、焦点板上に形成された被写体像をペンタブリズム等の正立光学系で正立像とした後、接眼光学系を介して拡大して観察するように構成されている。
【０００４】
また縮小光学系は、焦点板に結像された被写体像を正立光学系を介して撮像素子に再結像するように構成されている。このファインダー光学系においては縮小光学系と観察光学系の接眼光学系は正立光学系の光出射側に各々の光入射側の面が正立光学系の光出射面に対向するように並列配置されている。
【０００５】
縮小光学系として、特許文献１では正立光学系側から順に、正レンズ、正レンズの２枚構成よりなり、正立光学系側の正レンズに入射光を撮像素子側に反射するための内部反射面を設けている。特許文献２では正立光学系側から順に、正レンズ、負レンズの２枚構成よりなり、負レンズに入射光を撮像素子側に反射するための内部反射面を設けている。
【先行技術文献】
【特許文献】
【０００６】
【特許文献１】特開２０１２−２２１０７号公報
【特許文献２】特開２０１３−２３５２４２号公報
【発明の概要】
【発明が解決しようとする課題】
【０００７】
カメラの多機能化を効率的に図るには、ファインダー光学系の一部に設けられた縮小光学系において、焦点板に形成された被写体像を撮像素子に形成して電子画像を得る際、電子画像をより高画質に得る必要がある。そのためには、画素が多い大型の撮像素子を用いて、かつ縮小光学系は諸収差が良好に補正されていることが必要になってくる。
【０００８】
一方、焦点板に形成された被写体像を明るい状態で、かつ高倍率で観察するには観察光学系を構成する接眼光学系は、大口径で高倍率であることが必要となる。さらに高画質の電子画像をリアルタイムで得て観察するとともに、接眼光学系を介して明るい被写体像の観察を行う必要がある。そのためには、正立光学系の光出射側、例えばペンタダハプリズムの光出射側に大型の撮像素子を含む縮小光学系と大口径の接眼光学系を含む観察光学系を配置しなければならない。
【０００９】
しかしながら、このような構成の観察光学系と縮小光学系を正立光学系の光出射側に配置しようとすると、撮像素子と接眼光学系が機構的に干渉してきてしまい、双方を配置するのが困難になる。正立光学系の光出射側に接眼光学系と縮小光学系を並列配置して、焦点板に形成された被写体像を明るく観察し、かつ焦点板に形成された被写体像を撮像素子に高い光学性能で再結像するには縮小光学系の構成を適切に設定することが重要になってくる。
【００１０】
本発明は、焦点板に形成した被写体像について、大型の撮像素子を用いて、高画質の電子画像をリアルタイムで得ることができ、しかも明るいファインダー像を観察することができるファインダー光学系の提供を目的とする。
【課題を解決するための手段】
【００１１】
本発明のファインダー光学系は、撮像光学系によって焦点板に結像された被写体像を正立像とする正立光学系と、
前記正立像を観察側に導く接眼光学系と、
前記焦点板に結像された被写体像を、前記正立光学系を介して撮像素子に結像する縮小光学系とを有し、
前記縮小光学系の光軸は、前記接眼光学系の光軸に対して非平行であり、
前記縮小光学系は、前記正立光学系側から前記撮像素子側へ順に配置された、開口絞り、正の屈折力の第１レンズ、負の屈折力の第２レンズから構成され、
前記第１レンズは光入射面から入射した光束を反射して光出射面より出射させる内面反射面を有し、
前記縮小光学系の焦点距離をｆ、前記第２レンズの光出射面の近軸曲率半径をＲ２２とするとき、
１．０＜ｆ／Ｒ２２＜３．０
なる条件式を満足することを特徴としている。
この他ファインダー光学系は、撮像光学系によって焦点板に結像された被写体像を正立像とする正立光学系と、
前記正立像を観察側に導く接眼光学系と、
前記焦点板に結像された被写体像を、前記正立光学系を介して撮像素子に結像する縮小光学系とを有し、
前記縮小光学系の光軸は、前記接眼光学系の光軸に対して非平行であり、
前記縮小光学系は、前記正立光学系側から前記撮像素子側へ順に配置された、開口絞り、正の屈折力の第１レンズ、負の屈折力の第２レンズから構成され、
前記第１レンズは光入射面から入射した光束を反射して光出射面より出射させる内面反射面を有し、
前記縮小光学系の焦点距離をｆ、前記第２レンズの焦点距離をｆ２とするとき、
−１．５＜ｆ２／ｆ＜−０．３
なる条件式を満足することを特徴としている。
【発明の効果】
【００１２】
本発明によれば、焦点板に形成した被写体像について、大型の撮像素子を用いて、高画質の電子画像をリアルタイムで得ることができ、しかも明るいファインダー像を観察することができるファインダー光学系が得られる。
【図面の簡単な説明】
【００１３】
【図１】本発明の実施例１に係るファインダー光学系を有する撮像装置の概略構成図
【図２】本発明の実施例１に係る縮小光学系の光軸に沿った展開図
【図３】本発明の実施例１に係る縮小光学系の収差図
【図４】本発明の実施例２に係るファインダー光学系を有する撮像装置の概略構成図
【図５】本発明の実施例２に係る縮小光学系の光軸に沿った展開図
【図６】本発明の実施例２に係る縮小光学系の収差図
【図７】本発明の実施例３に係るファインダー光学系を有する撮像装置の概略構成図
【図８】本発明の実施例３に係る縮小光学系の光軸に沿った展開図
【図９】本発明の実施例３に係る縮小光学系の収差図
【図１０】本発明の実施例４に係るファインダー光学系を有する撮像装置の概略構成図
【図１１】本発明の実施例４に係る縮小光学系の光軸に沿った展開図
【図１２】本発明の実施例４に係る縮小光学系の収差図
【図１３】本発明の実施例５に係るファインダー光学系を有する撮像装置の概略構成図
【図１４】本発明の実施例５に係る縮小光学系の光軸に沿った展開図
【図１５】本発明の実施例５に係る縮小光学系の収差図
【発明を実施するための形態】
【００１４】
以下に、本発明の好ましい実施の形態を、添付の図面に基づいて詳細に説明する。本発明のファインダー光学系は、撮像光学系によって焦点板に結像された被写体像を正立像とする正立光学系と、正立像を観察側に導く接眼光学系を有する。更に焦点板に結像された被写体像を、正立光学系を介して撮像素子に結像する縮小光学系を有する。
【００１５】
縮小光学系の光軸は、接眼光学系の光軸に対して非平行である。縮小光学系は、正立光学系側から撮像素子側へ順に配置された、開口絞り、正の屈折力の第１レンズ、負の屈折力の第２レンズから構成される。第１レンズは光入射面から入射した光束を反射して光出射面より出射させる内面反射面を有する。
【００１６】
図１、図４、図７、図１０、図１３は本発明の実施例１乃至５のファインダー光学系１０１を有する撮像装置の要部概略図である。図２は図１の一部分の説明図、図３は実施例１の縮小光学系の収差図である。ここで縮小光学系の収差図は焦点板上の被写体像を撮像素子に結像するときの収差図である。これは以下、同様である。
【００１７】
図５は図４の一部分の説明図、図６は実施例２の縮小光学系の収差図である。図８は図７の一部分の説明図、図９は実施例３の縮小光学系の収差図である。図１１は図１０の一部分の説明図、図１２は実施例４の縮小光学系の収差図である。図１４は図１３の一部分の説明図、図１５は実施例５の縮小光学系の収差図である。
【００１８】
各実施例の撮像装置では、要部断面図に示すように撮像光学系１１によって被写体像をクイックリターンミラー１２を介して焦点板１３に形成している。被写体像を撮像するときはクイックリターンミラー１２が回動し、撮像素子２４に被写体像が形成される。
【００１９】
各実施例のファインダー光学系１０１は、撮像光学系１１によりクイックリターンミラー１２を介して焦点板１３に形成された被写体像（ファインダー像）を、ペンタダハプリズム１５より成る正立光学系によって正立像としている。そして正立像を接眼光学系１６を介してアイポイント１６ａより観察する観察光学系１を有する。また、観察光学系１の光軸Ｏａと非平行な光軸Ｏｂを有する縮小光学系２で焦点板１３に形成した被写体像より電子ファインダー像（電子画像）を得ている。
【００２０】
縮小光学系２の光軸Ｏｂは焦点板１３と接眼光学系１６の光軸Ｏａとの交点１３ａを通り、かつ観察光学系１の光軸Ｏａに対して傾斜している。即ち、光軸Ｏａと光軸Ｏｂは非平行となっている。
【００２１】
縮小光学系２は開口絞り１７、正の屈折力の第１レンズ１９と負の屈折力の第２レンズ２０を有する。第１レンズ１９の内部の光路中に反射面（裏面反射面）１９ａを設けることによって、光路を上方への撮像素子２２側へ折り曲げている。ここで上方とは撮像光学系１１に対してファインダー光学系１０１側を言う。そして第１レンズ１９の光出射面１９ｃと第２レンズ２０及び撮像素子２２を上方またはカメラ本体の側面方向に退避させて配置することができるようにしている。これによって、縮小光学系２と接眼光学系１６を正立光学系１５の光出射面側に配置する際の双方の機構的な干渉を防いでいる。
【００２２】
撮像装置の要部断面図において、１８及び２１はローパスフィルタやＩＲ（近赤外）カットフィルタ、カバーガラス等のフィルタである。２３は撮像素子２２で得られる被写体像（画像）を処理する画像処理手段である。縮小光学系２によって撮像素子２２に形成された像は画像処理手段２３で画像処理されて、カメラ本体の背面等に設けた液晶画面にリアルタイムで表示される。
【００２３】
この他、画像内の主被写体の移動に追従してフォーカス位置が変化して主被写体の合焦を行う自動追尾機能、画面内の人物の顔等を認識して適切な露出を設定すること露出機能等の各種の機能を行うために用いられる。２４は撮像光学系１１によって形成される被写体像に相当する像を記録（受光）するＣＭＯＳやＣＣＤ等の撮像素子である。
【００２４】
図２は図１の実施例１による、縮小光学系２のレンズ構成を光軸に沿った展開したときの光路展開図を示している。縮小光学系は、物体側（ペンタダハプリズム１５側）より順に、開口絞り１７、第１レンズ１９、第２レンズ２０を有する。図２において、１８及び２１はローパスフィルタやＩＲカットフィルタ、カバーガラス等のフィルタである。ＩＭＧは撮像素子２２の撮像面である。第１レンズ１９の光入射面１９ｂ、光出射面１９ｃと第２レンズ２０の光入射面２０ａ、光出射面２０ｂはいずれも非球面形状で構成されている。１９ａは第１レンズ１９内に設けた仮想の内面反射面の位置を示している。
【００２５】
図４の実施例２のファインダー光学系は図１の実施例１に比べて、焦点板１３に形成した被写体像をコンデンサーレンズ１４を介してペンタダハプリズム１５（正立光学系）に導光していることが異なっている。更に、接眼光学系１６のレンズ構成や縮小光学系２の第１レンズ１９と第２レンズ２０のレンズ構成等が異なっている。この他は実施例１と同じである。
【００２６】
図５は図４の実施例２による、縮小光学系２のレンズ構成を光軸に沿った展開したときの光路展開図を示している。縮小光学系２は、物体側（ペンタダハプリズム１５側）より順に、開口絞り１７、第１レンズ１９、第２レンズ２０を有する。図５において、１８及び２１はローパスフィルタやＩＲカットフィルタ、カバーガラス等のフィルタである。ＩＭＧは撮像素子２２の撮像面である。第１レンズ１９の光入射面１９ｂ、光出射面１９ｃ、第２レンズ２０の光入射面２０ａ、光出射面２０ｂはいずれも非球面形状で構成されている。
【００２７】
図７の実施例３のファインダー光学系は図１の実施例１に比べて、焦点板１３に形成される被写体像の大きさ、接眼光学系１６のレンズ構成や縮小光学系２の第１レンズ１９と第２レンズ２０のレンズ構成等が異なっている。この他は実施例１と同じである。
【００２８】
図８は図７の実施例３による、縮小光学系２のレンズ構成を光軸に沿った展開したときの光路展開図を示している。縮小光学系２は、物体側（ペンタダハプリズム１５側）より順に、開口絞り１７、第１レンズ１９、第２レンズ２０を有する。図８において、１８及び２１はローパスフィルタやＩＲカットフィルタ、カバーガラス等のフィルタである。ＩＭＧは撮像素子２２の撮像面である。第１レンズ１９の光入射面１９ｂ、光出射面１９ｃ、第２レンズ２０の光入射面２０ａ、光出射面２０ｂはいずれも非球面形状で構成されている。
【００２９】
図１０の実施例４のファインダー光学系は図１の実施例１に比べて、焦点板１３に形成される被写体像の大きさ、接眼光学系１６のレンズ構成や縮小光学系２の第１レンズ１９と第２レンズ２０のレンズ構成等が異なっている。この他は実施例１と同じである。
【００３０】
図１１は図１０の実施例４による、縮小光学系２のレンズ構成を光軸に沿った展開したときの光路展開図を示している。縮小光学系２は、物体側（ペンタダハプリズム１５側）より順に、開口絞り１７、第１レンズ１９、第２レンズ２０を有する。図１１において、１８及び２１はローパスフィルタやＩＲカットフィルタ、カバーガラス等のフィルタである。ＩＭＧは撮像素子２２の撮像面である。第１レンズ１９の光入射面１９ｂ、光出射面１９ｃ、第２レンズ２０の光入射面２０ａ、光出射面２０ｂは非球面形状で構成されている。
【００３１】
図１３の実施例５のファインダー光学系は図１の実施例１に比べて、焦点板１３に形成した被写体像をコンデンサーレンズ１４を介してペンタダハプリズム１５（正立光学系）に導光していることが異なっている。更に、撮像素子２２に再結像される被写体像の大きさ、接眼光学系１６のレンズ構成や縮小光学系２の第１レンズ１９と第２レンズ２０のレンズ構成等が異なっている。この他は実施例１と同じである。
【００３２】
図１４は図１３の実施例５による、縮小光学系２のレンズ構成を光軸に沿った展開したときの光路展開図を示している。縮小光学系２は、物体側（ペンタダハプリズム１５側）より順に、開口絞り１７、第１レンズ１９、第２レンズ２０を有する。図１４において、１８及び２１はローパスフィルタやＩＲカットフィルタ、カバーガラス等のフィルタである。ＩＭＧは撮像素子２２の撮像面である。第１レンズ１９の光入射面１９ｂ、光出射面１９ｃ、第２レンズ２０の光入射面２０ａ、光出射面２０ｂはいずれも非球面形状で構成されている。
【００３３】
図３、図６、図９、図１２、図１５は実施例１乃至５のファインダー光学系の球面収差、非点収差、歪曲収差、倍率色収差を示す。なお、球面収差を表す図において、実線はｄ線（波長５８７．６ｎｍ）、２点鎖線はＦ線（波長＝４８６．１ｎｍ）、１点鎖線はＣ線（波長＝６５６．３ｎｍ）に対する球面収差を示す。また、非点収差図において、実線Ｓはサジタル像面、破線Ｍはメリディオナル像面における値を示す。ＦｎｏはＦナンバー、Ｈは最大像高（撮像素子２２の対角線長の１／２）である。
【００３４】
以上のように各実施例のファインダー光学系によれば、焦点板１３に形成した被写体像について、より大型の撮像素子２２を用いて、高画質の電子画像をリアルタイムで得ることができ、しかも明るいファインダー像を観察することができる。
【００３５】
本実施例のファインダー光学系において更に好ましくは次の諸条件のうち１以上を満足するのが良い。
【００３６】
第１レンズ１９の焦点距離をｆ１とする。第１レンズ１９の光入射面１９ｂから光出射面１９ｃまでの光軸に沿った厚さ（光軸上の長さ）をｄ１とする。第１レンズ１９の光入射面１９ｂと光出射面１９ｃの近軸曲率半径を各々Ｒ１１、Ｒ１２とする。第２レンズ２０の焦点距離をｆ２とする。第１レンズ１９と第２レンズ２０の合成焦点距離（縮小光学系２の焦点距離）をｆとする。第２レンズ２０の光出射面２０ｂの近軸曲率半径をＲ２２とする。第１レンズ１９の材料のアッベ数をν１、第２レンズ２０の材料のアッベ数を各々ν１、ν２とする。
【００３７】
このとき、
０．４＜ｆ１／ｄ１＜０．９                                ・・・（１）
−０．１＜（Ｒ１１＋Ｒ１２）／（Ｒ１１−Ｒ１２）＜０．７  ・・・（２）
−１．５＜ｆ２／ｆ＜−０．３                              ・・・（３）
１．０＜ｆ／Ｒ２２＜３．０                                ・・・（４）
１．５＜ν１／ν２＜５．５                                ・・・（５）
なる条件式のうち１以上を満足するのが良い。
【００３８】
次に前述の各条件式の技術的意味について説明する。条件式（１）は、内面反射面を持つ第１レンズ１９の焦点距離ｆ１と第１レンズ１９の光軸に沿った長さｄ１の関係を示している。条件式（１）の上限を超えて、第１レンズ１９の光軸に沿った長さが短くなると、開口絞り１７の開口を充分に確保するのが困難になる。この結果、縮小光学系２のＦ値が暗く（Ｆナンバーが大きくなり）、暗い環境下での撮像素子２２で得られる画質が低下してくる。
【００３９】
一方、条件式（１）の下限を超えて、第１レンズ１９の光軸に沿った長さが長くなると、縮小光学系２の光学全長（第１レンズ１９の光入射面１９ｂから第２レンズ２０の光出射面２０ｂまでの長さ）が長くなり、ファインダー光学系全体が大型化する。つまり、第１レンズ１９の内面反射面１９ａと有効径を十分大きく確保し、縮小光学系２の小型化を図るためには、条件式（１）を満足することが望ましい。
【００４０】
条件式（２）は、第１レンズ１９のシェイプファクター（レンズ形状）を規定している。縮小光学系２の主点位置および焦点距離は焦点板１３上での観察範囲と撮像素子２２の受光範囲によって一義的に決まる。そのため、条件式（２）の下限を超えると、縮小光学系２の主点がペンタダハプリズム１５側に偏る。このため、第２レンズ２０と撮像素子２２の間隔が狭くなり過ぎてしまい、フィルタ２１の挿入や撮像素子２２の位置調整が困難となる。
【００４１】
また、条件式（２）の上限を超えると、第１レンズ１９の、開口絞り１７を通過した光束が広がるため、第１レンズ１９の光出射面１９ｃおよび第２レンズ２０の有効径を広くしなければならず、縮小光学系２が大型化する。つまり、縮小光学系２の適切な主点配置及び小型化のためには、条件式（２）を満足することが望ましい。
【００４２】
条件式（３）は、第２レンズ２０の焦点距離２と縮小光学系２の焦点距離ｆの関係を示している。条件式（３）の下限を超えると、軸上色収差及び倍率色収差の補正が不十分となり、画素が多く大型の撮像素子を用いても十分な解像力を得るのが困難になる。条件式（３）の上限を超えると、第２レンズ２０と撮像素子２２の間隔が狭くなり過ぎてしまい、フィルタ２１の挿入や撮像素子２２の位置調整を精度良く行うことが困難となる。縮小光学系２の高い解像力を得るためには、条件式（３）を満足することが望ましい。
【００４３】
条件式（４）は、第２レンズ２０の光出射面２０ｂの近軸曲率半径と縮小光学系２の焦点距離の関係を示している。条件式（４）の下限を超えると、第２レンズによる収差補正が不十分となり、特に非点収差が多く発生する。条件式（４）の上限を超えると、第２レンズ２０の偏芯敏感度が大きくなり、さらに第２レンズ２０の外周部が撮像素子２２と近づき過ぎるため、撮像素子２２の位置調整を精度良く行うことが困難となる。縮小光学系２の高い解像力を得るためには、条件式（４）を満足することが望ましい。
【００４４】
条件式（５）は、第１レンズ１９の材料のアッベ数ν１と第２レンズ２０の材料のアッベ数ν２との関係を示す。第１レンズ１９は正の屈折力、第２レンズ２０は負の屈折力を持つため、色収差の発生を抑えるためには、第１レンズ１９は色分散の小さな材料、第２レンズ２０は色分散の大きな材料を用いることが望ましい。条件式（５）の下限値を超えると軸上色収差を良好に補正するのが困難になるため、好ましくない。条件式（５）の上限値を超えると倍率色収差を良好に補正することが困難になるため、好ましくない。
【００４５】
更に好ましくは条件式（１）乃至（５）の数値範囲を次の如く設定するのが良い。
０．５＜ｆ１／ｄ１＜０．８                                ・・・（１ａ）
０．０＜（Ｒ１１＋Ｒ１２）／（Ｒ１１−Ｒ１２）＜０．６    ・・・（２ａ）
−１．４＜ｆ２／ｆ＜−０．４                              ・・・（３ａ）
１．５＜ｆ／Ｒ２２＜２．８                                ・・・（４ａ）
２．０＜ν１／ν２＜５．０                                ・・・（５ａ）
【００４６】
次に各実施例の縮小光学系の数値データを示す。数値データにおいてｉは開口絞り１７を第１番目（ｒ１）とする面の順序を示す。「ｒｉ」は開口絞り１７を含めて第ｉ番目の面の近軸曲率半径を示す。「ｄｉ」は開口絞り１７を含めて第ｉ番目の面と第（ｉ＋１）番目の面との間の軸上面間隔を示す。さらに、「Ｎｉ」は開口絞り１７から第ｉ番目の材料のｄ線（波長＝５７８．６ｎｍ）に対する屈折率を示す。また、数値データ中のアッベ数（νｄ）の列には、各材料のｄ線に対するアッベ数を示している。
【００４７】
また、「ｆ」は縮小光学系の焦点距離（第１レンズと第２レンズの合成焦点距離）、「ｆ１」は第１レンズの焦点距離、ｆ２は第２レンズの焦点距離をそれぞれ示す。Ｈは撮像素子２２の最大像高（撮像素子２２の対角線長の１／２）を示す。ｒ２、ｒ３はフィルタ１８の光入射面と、光出射面の曲率半径をそれぞれ示す。ｒ８、ｒ９はフィルタ２１の光入射面と、光出射面の曲率半径をそれぞれ示す。ｒ１０は撮像面ＩＭＧである。第１レンズ１９の両レンズ面（ｒ４、ｒ５）、第２レンズ２０の両レンズ面（ｒ６、ｒ７）は非球面形状で構成されており、非球面形状は、次の数１式によって定義されるものとする。
【００４８】
【数１】
0006548418.tif 000002
【００４９】
なお、数１式において、xはレンズ面の頂点からの光軸方向の距離、hは光軸と垂直な方向の高さ、Rはレンズ面の頂点での近軸曲率半径、kは円錐定数である。Ｃ4、Ｃ6、Ｃ8、Ｃ10、Ｃ12は非球面係数である。「Ｅ−ｉ」は１０を底とする指数表現、すなわち「１０−ｉ」を表している。また、各条件式と各実施例との対応を表１に示す。
【００５０】
0006548418.tif 000003
【００５１】
0006548418.tif 000004
【００５２】
0006548418.tif 000005
【００５３】
0006548418.tif 000006
【００５４】
0006548418.tif 000007
【００５５】
【表１】
0006548418.tif 000008
【符号の説明】
【００５６】
１  観察光学系      ２  縮小光学系      １１  撮像光学系      １３  焦点板
１５  ペンタダハプリズム（正立光学系）      １６  接眼光学系
１９  第１レンズ      ２０  第２レンズ      ２２  撮像素子
１０１  ファインダー光学系
【図１】
0006548418.tif 000009
【図２】
0006548418.tif 000010
【図３】
0006548418.tif 000011
【図４】
0006548418.tif 000012
【図５】
0006548418.tif 000013
【図６】
0006548418.tif 000014
【図７】
0006548418.tif 000015
【図８】
0006548418.tif 000016
【図９】
0006548418.tif 000017
【図１０】
0006548418.tif 000018
【図１１】
0006548418.tif 000019
【図１２】
0006548418.tif 000020
【図１３】
0006548418.tif 000021
【図１４】
0006548418.tif 000022
【図１５】
0006548418.tif 000023